(57)【要約】  本開示の実施形態は、サウンディング参照信号（ＳＲＳ）の伝送に用いられる方法、デバイス及びコンピュータ可読媒体に関する。例示的実施形態において、端末機器で実現される方法が提供される。該方法によれば、少なくとも１つのＳＲＳリソースセットが、ネットワーク機器に対してＳＲＳを伝送するために配置され、且つ端末機器に対してアンテナ切り替えがイネーブルにされたことに応じて、端末機器はＳＲＳ伝送に必要な少なくとも１つの保護時間を確定する。ネットワーク機器に対して行われる上りリンク伝送は、該少なくとも１つの保護時間以外にスケジューリングされると予期される。上りリンク伝送が少なくとも１つの保護時間以外にスケジューリングされたことに応じて、端末機器は少なくとも１つのＳＲＳリソースセットによって、ネットワーク機器にＳＲＳを伝送する。【選択図】図２
2021531670.tif 000002
【特許請求の範囲】
【請求項１】
少なくとも１つのサウンディング参照信号（ＳＲＳ）リソースセットが、ネットワーク機器にＳＲＳを伝送するために配置され、且つ端末機器に対してアンテナ切り替えがイネーブルにされたことに応じて、前記ＳＲＳの伝送に必要な少なくとも１つの保護時間を確定し、前記ネットワーク機器に対して行われる上りリンク伝送は、前記少なくとも１つの保護時間以外にスケジューリングされると予期されることと、
前記上りリンク伝送が前記少なくとも１つの保護時間以外にスケジューリングされたことに応じて、前記少なくとも１つのＳＲＳリソースセットによって、前記ネットワーク機器に前記ＳＲＳを伝送することと、
前記上りリンク伝送が前記少なくとも１つの保護時間内にスケジューリングされたことに応じて、前記ＳＲＳの伝送に用いられる前記少なくとも１つのＳＲＳリソースセットの少なくとも一部をディセーブルにすることと
を含む、端末機器で実現される方法。
【請求項２】
前記少なくとも１つの保護時間を確定することは、
上りリンクチャネルのサブキャリア間隔に基づき、前記少なくとも１つの保護時間を確定することを含む、請求項１に記載の方法。
【請求項３】
前記少なくとも１つの保護時間を確定することは、
前記少なくとも１つのＳＲＳリソースセットの前の第１保護時間、前記少なくとも１つのＳＲＳリソースセットの後の第２保護時間、及び、前記少なくとも１つのＳＲＳリソースセットにおける２つのＳＲＳリソースの間の第３保護時間のうち、少なくとも１つを確定することを含む、請求項１に記載の方法。
【請求項４】
前記少なくとも１つの保護時間を確定することは、
前記上りリンク伝送、及び前記少なくとも１つのＳＲＳリソースセットにおける第１ＳＲＳリソースが、前記端末機器に関する送信アンテナの同一配置と関連することに応じて、前記上りリンク伝送と、前記第１ＳＲＳリソースにより行われるＳＲＳ伝送との間に、保護時間が不要であると確定することを含む、請求項１に記載の方法。
【請求項５】
前記ＳＲＳの伝送に用いられる前記少なくとも１つのＳＲＳリソースセットの少なくとも一部をディセーブルにすることは、
前記少なくとも１つのＳＲＳリソースセットのうちディセーブルにする１つ又は複数のＳＲＳリソースを確定することと、
前記１つ又は複数のＳＲＳリソースを前記ＳＲＳの伝送に用いることをディセーブルにすることと
を含む、請求項１に記載の方法。
【請求項６】
前記１つ又は複数のＳＲＳリソースを確定することは、
前記ＳＲＳのタイプ、前記端末機器のアンテナモード、及び、上りリンクチャネルのサブキャリア間隔のうちの少なくとも１つに基づき、ディセーブルにする前記１つ又は複数のＳＲＳリソースを確定することを含む、請求項５に記載の方法。
【請求項７】
前記ＳＲＳの前記タイプは、前記ＳＲＳが周期的、半持続的、または非周期的であるかを指す、請求項６に記載の方法。
【請求項８】
前記１つ又は複数のＳＲＳリソースを確定することは、
前記上りリンク伝送、及び前記少なくとも１つのＳＲＳリソースセットにおける第２ＳＲＳリソースが、前記端末機器に関する送信アンテナの同一配置と関連することに応じて、前記１つ又は複数のＳＲＳリソースから前記第２ＳＲＳリソースを排除することを含む、請求項５に記載の方法。
【請求項９】
前記ＳＲＳを前記伝送することは、
前記上りリンク伝送のための第１サブキャリア間隔を確定することと、
前記第１サブキャリア間隔に基づき、前記第１サブキャリア間隔の倍数である、前記ＳＲＳを伝送するための第２サブキャリア間隔を確定することと、
前記第２サブキャリア間隔に基づき、前記ネットワーク機器に前記ＳＲＳを伝送することと
を含む、請求項１に記載の方法。
【請求項１０】
前記少なくとも１つのＳＲＳリソースセットは、少なくとも、第１ＳＲＳリソースセットと第２ＳＲＳリソースセットとを含み、
前記ネットワーク機器から前記端末機器に伝送される第１下りリンク制御情報（ＤＣＩ）にトリガされる、前記第１ＳＲＳリソースセットにより行われる第１ＳＲＳ伝送が、前記ネットワーク機器から前記端末機器に伝送される第２ＤＣＩによりトリガされる、前記第２ＳＲＳリソースセットにより行われる第２ＳＲＳ伝送の前であり、
前記ＳＲＳの伝送に用いられる前記少なくとも１つのＳＲＳリソースセットの少なくとも一部をディセーブルにすることは、
前記第１ＳＲＳ伝送の前に前記ネットワーク機器から前記第２ＤＣＩを受信できないことに応じて、前記少なくとも１つのＳＲＳリソースセットを前記ＳＲＳの伝送に用いることをディセーブルにすること、又は
前記第１ＤＣＩが受信されてから所定時間内に前記ネットワーク機器から前記第２ＤＣＩを受信できないことに応じて、前記少なくとも１つのＳＲＳリソースセットを前記ＳＲＳの伝送に用いることをディセーブルにすること
を含む、請求項１に記載の方法。
【請求項１１】
少なくとも１つのサウンディング参照信号（ＳＲＳ）リソースセットが、端末機器からＳＲＳを受信するために配置され、且つ前記端末機器に対してアンテナ切り替えがイネーブルにされたことに応じて、前記ＳＲＳの受信に必要な少なくとも１つの保護時間を確定し、前記端末機器からの上りリンク受信は、前記少なくとも１つの保護時間以外にスケジューリングされると予期されることと、
前記上りリンク受信が前記少なくとも１つの保護時間以外にスケジューリングされたことに応じて、前記少なくとも１つのＳＲＳリソースセットによって、前記端末機器から前記ＳＲＳを受信することと、
前記上りリンク受信が前記少なくとも１つの保護時間内にスケジューリングされたことに応じて、前記ＳＲＳの受信に用いられる前記少なくとも１つのＳＲＳリソースセットの少なくとも一部をディセーブルにすることと
を含む、ネットワーク機器で実現される方法。
【請求項１２】
前記少なくとも１つの保護時間を確定することは、
上りリンクチャネルのサブキャリア間隔に基づき、前記少なくとも１つの保護時間を確定することを含む、請求項１１に記載の方法。
【請求項１３】
前記少なくとも１つの保護時間を確定することは、
前記少なくとも１つのＳＲＳリソースセットの前の第１保護時間、前記少なくとも１つのＳＲＳリソースセットの後の第２保護時間、及び、前記少なくとも１つのＳＲＳリソースセットにおける２つのＳＲＳリソースの間の第３保護時間のうち、少なくとも１つを確定することを含む請求項１１に記載の方法。
【請求項１４】
前記少なくとも１つの保護時間を確定することは、
前記上りリンク受信、及び前記少なくとも１つのＳＲＳリソースセットにおける第１ＳＲＳリソースが、前記端末機器に関する送信アンテナの同一配置と関連することに応じて、前記上りリンク受信と、前記第１ＳＲＳリソースにより行われるＳＲＳ受信との間に、保護時間が不要であると確定することを含む、請求項１に記載の方法。
【請求項１５】
前記ＳＲＳの受信に用いられる前記少なくとも１つのＳＲＳリソースセットの少なくとも一部をディセーブルにすることは、
前記少なくとも１つのＳＲＳリソースセットのうちディセーブルにする１つ又は複数のＳＲＳリソースを確定することと、
前記１つ又は複数のＳＲＳリソースを前記ＳＲＳの受信に用いることをディセーブルにすることと
を含む、請求項１１に記載の方法。
【請求項１６】
前記１つ又は複数のＳＲＳリソースを確定することは、
前記ＳＲＳのタイプ、前記端末機器のアンテナモード、及び、上りリンクチャネルのサブキャリア間隔のうちの少なくとも１つに基づき、ディセーブルにする前記１つ又は複数のＳＲＳリソースを確定することを含む、請求項１５に記載の方法。
【請求項１７】
前記ＳＲＳの前記タイプは、前記ＳＲＳが周期的、半持続的、または非周期的であるかを指す、請求項１６に記載の方法。
【請求項１８】
前記１つ又は複数のＳＲＳリソースを確定することは、
前記上りリンク受信、及び前記少なくとも１つのＳＲＳリソースセットにおける第２ＳＲＳリソースが、前記端末機器に関する送信アンテナの同一配置と関連することに応じて、前記１つ又は複数のＳＲＳリソースから前記第２ＳＲＳリソースを排除することを含む、請求項１５に記載の方法。
【請求項１９】
前記ＳＲＳを前記受信することは、
前記上りリンク受信のための第１サブキャリア間隔を確定することと、
前記第１サブキャリア間隔に基づき、前記第１サブキャリア間隔の倍数である、前記ＳＲＳを受信するための第２サブキャリア間隔を確定することと、
前記第２サブキャリア間隔に基づき、前記端末機器から前記ＳＲＳを受信することと
を含む、請求項１１に記載の方法。
【請求項２０】
プロセッサと、
前記プロセッサに結合され指令が記憶されたメモリと
を含み、
前記指令が前記プロセッサにより実行される場合に、前記指令により、請求項１〜１０のいずれか１項に記載の方法を実行する、デバイス。
【請求項２１】
プロセッサと、
前記プロセッサに結合され指令が記憶されたメモリと
を含み、
前記指令が前記プロセッサにより実行される場合に、前記指令により、請求項１１〜１９のいずれか１項に記載の方法を実行する、デバイス。
【請求項２２】
少なくとも１つのプロセッサ上で実行される場合に、前記少なくとも１つのプロセッサに、請求項１〜１０のいずれか１項に記載の方法を実行させる指令が記憶されている、コンピュータ可読媒体。
【請求項２３】
少なくとも１つのプロセッサ上で実行される場合に、前記少なくとも１つのプロセッサに、請求項１１〜１９のいずれか１項に記載の方法を実行させる指令が記憶されている、コンピュータ可読媒体。
【発明の詳細な説明】
【技術分野】
【０００１】
本開示の実施形態は全体として、電信分野に関し、具体的には、サウンディング参照信号（ＳＲＳ：Sounding Reference Signal）の伝送に用いられる方法、デバイス及びコンピュータ可読媒体に関する。
【背景技術】
【０００２】
一般的に、端末機器からネットワーク機器に伝送されるＳＲＳは、端末機器とネットワーク機器との間の上りリンクチャネル（例えば、物理上りリンク共用チャネル（ＰＵＳＣＨ））を推定するために、ネットワーク機器が用いることができる。ネットワーク機器は、推定結果に基づき、上りリンクチャネルを介して行われる上りリンク伝送のために、リソース分配及び伝送パラメータの配置を行うことができる。ＳＲＳの伝送前に、ネットワーク機器は、端末機器に対し、ＳＲＳ伝送に用いる１つ又は複数のＳＲＳリソースセットを分配することができる。１つ又は複数のＳＲＳリソースセットのうち、それぞれのＳＲＳリソースセットは１つ又は複数のＳＲＳリソースを含むことができる。
【０００３】
端末機器は、複数のアンテナを具備して、ネットワーク機器に信号（例えば、ＳＲＳ又は他の任意の信号）を伝送したりネットワーク機器から信号を受信したりするのに用いることができる。端末機器が複数のアンテナをサポートしている状況では、ＳＲＳのアンテナ切り替えをサポートすることができる。ＳＲＳのアンテナ切り替えは通常、２つの異なる目的を有する。１つは、ＰＵＳＣＨに対する上りリンク伝送ダイバーシティ（開ループ又は閉ループのどちらでもよい）、もう１つは、チャネル相反性に基づく時分割多重（ＴＤＤ）又は周波数分割多重（ＦＤＤ）における下りリンクチャネルのＭＩＭＯビームフォーミングである。第５世代移動通信システム（５Ｇ）Ｎｅｗ  Ｒａｄｉｏ（ＮＲ）に対し第３世代パートナーシッププロジェクト（３ＧＰＰ）の仕様では、２つの非周期的なＳＲＳリソースセットによって、ＳＲＳ伝送に対する１Ｔ４Ｒ（即ち、１つの送信アンテナ及び４つの受信アンテナ）のアンテナ切り替えをサポートできることが、既に同意されている。２つの異なるスロットの異なるシンボルにおいて、合計４つのＳＲＳリソースを有する２つの非周期的ＳＲＳリソースセットを伝送することができる。各ＳＲＳリソースは、１つのＳＲＳポートにより構成され、各ＳＲＳリソースのＳＲＳポートは、端末機器の異なるアンテナポートと関連付けられている。２つのＳＲＳリソースセットのうち各ＳＲＳリソースセットが２つのＳＲＳリソースにより構成されるか、又は１つのＳＲＳリソースセットが１つのＳＲＳリソースにより構成され、且つもう１つのＳＲＳリソースセットが３つのＳＲＳリソースにより構成される。
【０００４】
ＳＲＳ伝送に対するアンテナ切り替えがイネーブルにされた状況では、ＳＲＳ伝送には保護時間が必要になる可能性がある。端末機器は、アンテナポートを切り替えて異なる信号を伝送するのに一定の時間を必要とするので、該保護時間では、他のいかなる信号も伝送しない。しかしながら、ＳＲＳ伝送に必要な保護時間をどのように指示するかについて、未だ規定されていない。
【発明の概要】
【発明が解決しようとする課題】
【０００５】
本開示の例示的な実施形態は全体として、ＳＲＳの伝送に用いられる方法、デバイス及びコンピュータ可読媒体に関する。
【課題を解決するための手段】
【０００６】
第１の態様において、端末機器で実現される方法が提供される。該方法によれば、少なくとも１つのＳＲＳリソースセットが、ネットワーク機器に対してＳＲＳを伝送するために配置され、且つ端末機器に対してアンテナ切り替えがイネーブルにされたことに応じて、端末機器はＳＲＳ伝送に必要な少なくとも１つの保護時間を確定する。ネットワーク機器に対して行われる上りリンク伝送は、少なくとも１つの保護時間以外にスケジューリングされると予期される。上りリンク伝送が少なくとも１つの保護時間以外にスケジューリングされたことに応じて、端末機器は少なくとも１つのＳＲＳリソースセットによって、ネットワーク機器にＳＲＳを伝送する。上りリンク伝送が少なくとも１つの保護時間内にスケジューリングされたことに応じて、端末機器は、ＳＲＳの伝送に用いられる少なくとも１つのＳＲＳリソースセットの少なくとも一部をディセーブルにする。
【０００７】
第２の態様において、ネットワーク機器で実現される方法が提供される。該方法によれば、少なくとも１つのサウンディング参照信号（ＳＲＳ）リソースセットが、端末機器からＳＲＳを受信するために配置され、且つ端末機器に対してアンテナ切り替えがイネーブルにされたことに応じて、ネットワーク機器は、ＳＲＳの受信に必要な少なくとも１つの保護時間を確定する。ここで、端末機器からの上りリンク受信は、少なくとも１つの保護時間以外にスケジューリングされると予期される。上りリンク受信が少なくとも１つの保護時間以外にスケジューリングされたことに応じて、ネットワーク機器は少なくとも１つのＳＲＳリソースセットによって、端末機器からＳＲＳを受信する。上りリンク受信が少なくとも１つの保護時間内にスケジューリングされたことに応じて、ネットワーク機器は、ＳＲＳの受信に用いられる少なくとも１つのＳＲＳリソースセットの少なくとも一部をディセーブルにする。
【０００８】
第３の態様において、デバイスが提供される。該デバイスは、プロセッサと、プロセッサに結合されるメモリとを含む。メモリには指令が記憶され、該指令はプロセッサにより実行される場合、該デバイスに動作を実行させる。該動作は以下のものを含む。即ち、少なくとも１つのサウンディング参照信号（ＳＲＳ）リソースセットが、ネットワーク機器に対してＳＲＳを伝送するために配置され、且つ該デバイスに対してアンテナ切り替えがイネーブルにされたことに応じて、ＳＲＳ伝送に必要な少なくとも１つの保護時間を確定し、ネットワーク機器に対して行われる上りリンク伝送は、少なくとも１つの保護時間以外にスケジューリングされると予期されることと、上りリンク伝送が少なくとも１つの保護時間以外にスケジューリングされたことに応じて、少なくとも１つのＳＲＳリソースセットによって、ネットワーク機器にＳＲＳを伝送することと、上りリンク伝送が少なくとも１つの保護時間内にスケジューリングされたことに応じて、ＳＲＳの伝送に用いられる少なくとも１つのＳＲＳリソースセットの少なくとも一部をディセーブルにすることと、を含む。
【０００９】
第４の態様において、デバイスが提供される。該デバイスは、プロセッサと、プロセッサに結合されるメモリとを含む。メモリには指令が記憶され、該指令はプロセッサにより実行される場合、該デバイスに動作を実行させる。該動作は以下のものを含む。即ち、少なくとも１つのサウンディング参照信号（ＳＲＳ）リソースセットが、端末機器からＳＲＳを受信するために配置され、且つ端末機器に対してアンテナ切り替えがイネーブルにされたことに応じて、ＳＲＳの受信に必要な少なくとも１つの保護時間を確定し、端末機器からの上りリンク受信は、少なくとも１つの保護時間以外にスケジューリングされると予期されることと、上りリンク受信が少なくとも１つの保護時間以外にスケジューリングされたことに応じて、少なくとも１つのＳＲＳリソースセットによって、端末機器からＳＲＳを受信することと、上りリンク受信が少なくとも１つの保護時間内にスケジューリングされたことに応じて、ＳＲＳの受信に用いられる少なくとも１つのＳＲＳリソースセットの少なくとも一部をディセーブルにすることと、を含む。
【００１０】
第５の態様において、指令が記憶されたコンピュータ可読媒体が提供される。該指令は、少なくとも１つのプロセッサ上で実行される場合に、少なくとも１つのプロセッサに、本開示の第１の態様に基づく方法を実行させる。
【００１１】
第６の態様において、指令が記憶されたコンピュータ可読媒体が提供される。該指令は、少なくとも１つのプロセッサ上で実行される場合に、少なくとも１つのプロセッサに、本開示の第２の態様に基づく方法を実行させる。
【００１２】
第７の態様において、コンピュータ可読記憶媒体に、有形に記憶されるコンピュータプログラム製品が提供される。該コンピュータプログラム製品は指令を含み、該指令は、少なくとも１つのプロセッサ上で実行される場合に、少なくとも１つのプロセッサに、本開示の第１の態様又は第２の態様に基づく方法を実行させる。
【００１３】
本開示のその他の特徴は、以下の説明により容易に理解できるはずである。
【図面の簡単な説明】
【００１４】
以下、図面において本開示のいくつかの実施形態をさらに詳細に説明し、本開示の上述の及びその他の目的、特徴、長所を、さらに明らかにする。
【００１５】
【図１】本開示の実施形態を実現可能な通信環境のブロック図である。
【００１６】
【図２】本開示のいくつかの実施形態によるＳＲＳ伝送に用いられる例示的方法のフローチャートである。
【００１７】
【図３Ａ】本開示のいくつかの実施形態の例を示す図である。
【図３Ｂ】本開示のいくつかの実施形態の例を示す図である。
【００１８】
【図４】本開示のいくつかの実施形態の例を示す図である。
【００１９】
【図５】本開示のいくつかの実施形態の例を示す図である。
【００２０】
【図６Ａ】本開示のいくつかの実施形態の例を示す図である。
【図６Ｂ】本開示のいくつかの実施形態の例を示す図である。
【００２１】
【図７Ａ】本開示のいくつかの実施形態の例を示す図である。
【図７Ｂ】本開示のいくつかの実施形態の例を示す図である。
【００２２】
【図８Ａ】本開示のいくつかの実施形態の例を示す図である。
【図８Ｂ】本開示のいくつかの実施形態の例を示す図である。
【図８Ｃ】本開示のいくつかの実施形態の例を示す図である。
【００２３】
【図９Ａ】本開示のいくつかの実施形態の例を示す図である。
【図９Ｂ】本開示のいくつかの実施形態の例を示す図である。
【図９Ｃ】本開示のいくつかの実施形態の例を示す図である。
【００２４】
【図１０】本開示のいくつかの実施形態によるＳＲＳ伝送に用いられる例示的方法のフローチャートである。
【００２５】
【図１１】本開示の実施形態を実現するのに適したデバイスの概略ブロック図である。
【００２６】
全ての図において、同一又は類似の図面符号は、同一又は類似の要素を示す。
【発明を実施するための形態】
【００２７】
以下、いくつかの例示的実施形態を参照に、本開示の原理を説明する。理解すべき点として、これらの実施形態は、単に説明を目的として記述され、当業者が本開示を理解し実現する際の助けとなるものであり、本開示の範囲に対する何らかの制限を暗示するものではない。本明細書で説明する開示内容は、以下に説明する方法以外に、さまざまな方法で実現可能である。
【００２８】
以下の説明及び請求項において、別に定義がある場合を除き、文中で使用される全ての技術・科学用語は、本開示の属する分野の当業者が通常理解するものと、同じ意味を有する。
【００２９】
例えば、文中で使用される用語「ネットワーク機器」又は「基地局」（ＢＳ）とは、端末機器が通信可能なセル又はカバー範囲を、提供又は管理可能なデバイスを指す。ネットワーク機器の例には、ノードＢ（ＮｏｄｅＢ又はＮＢ）、進化型ＮｏｄｅＢ（ｅＮｏｄｅＢ又はｅＮＢ）、次世代ＮｏｄｅＢ（ｇＮＢ）、送信／受信ポイント（ＴＲＰ）、リモートラジオユニット（ＲＲＵ）、無線ヘッド（ＲＨ）、リモート無線ヘッド（ＲＲＨ）、低電力ノード（例えばフェムトノード、ピコノード等）が含まれるが、これらに限定されない。議論しやすいように、以下の文では、参考用にｇＮＢをネットワーク機器の例示とし、いくつかの実施形態を説明する。
【００３０】
文中で使用される用語「端末機器」は、無線又は有線での通信能力を有する全てのデバイスを指す。端末機器の例として、ユーザー機器（ＵＥ）、パーソナルコンピュータ、デスクトップコンピュータ、移動電話、携帯電話、スマートフォン、携帯情報端末（ＰＤＡ）、携帯コンピュータ、画像取込デバイス（例えばデジタルカメラ）、ゲーム機器、音楽保存再生装置、又は無線若しくは有線によるインターネットへのアクセス・閲覧をイネーブルにするインターネットデバイス等が含まれるが、これらに限定されない。議論しやすいように、以下の文では、参考用にＵＥを端末機器の例示として、いくつかの実施形態を説明する。
【００３１】
文中で使用される場合、文中で他に明記していない限り、単数形式である「１つの（ａ）」、「１つの（ａｎ）」及び「該（ｔｈｅ）」は、複数形式を含むことを意味する。用語「含む」及びその変形は、「…を含むが、これらに限定されない」という意味の、開放式の用語であると理解されるべきである。用語「…に基づいて」は、「少なくとも部分的に基づく」と理解されるべきである。用語「１つの実施形態（ｏｎｅ  ｅｍｂｏｄｉｍｅｎｔ）」及び「実施形態」は、「少なくとも１つの実施形態」と理解されるべきである。用語「他の実施形態」は、「少なくとも１つの他の実施形態」と理解されるべきである。用語「第１」、「第２」等は、異なるか又は同一の対象を示すことができる。以下の文中では、その他の定義（明示又は暗示の）も含むことができる。
【００３２】
いくつかの例示において、値、プロセス又は装置は、「最良」、「最低」、「最高」、「最小」、「最大」等と称される。理解すべき点として、こうした説明は、使用される複数の機能の代替手段の中から、選択可能であると示すことを意図しており、こうした選択は、他の選択と比べて、より優れていたり、より小さかったり、より高かったり、又は他の態様ではより好ましかったりする必要はない。
【００３３】
上述したように、端末機器からネットワーク機器に伝送されるＳＲＳは、ネットワーク機器が、端末機器とネットワーク機器との間の上りリンクチャネル（例えば、物理上りリンク共用チャネル（ＰＵＳＣＨ））を推定するために用いることができる。ネットワーク機器は、推定結果に基づき、上りリンクチャネを介して行われる上りリンク伝送のために、リソース分配を実行し、伝送パラメータを配置することができる。ＳＲＳの伝送前に、ネットワーク機器は、端末機器に対し、ＳＲＳ伝送に用いる１つ又は複数のＳＲＳリソースセットを分配することができる。１つ又は複数のＳＲＳリソースセットのうち、それぞれのＳＲＳリソースセットは１つ又は複数のＳＲＳリソースを含むことができる。
【００３４】
端末機器は、複数のアンテナを具備して、ネットワーク機器に信号を伝送したりネットワーク機器から信号を受信したりするために用いることができる（例えば、ＳＲＳ又は他の任意の信号）。端末機器が複数のアンテナをサポートしている状況では、ＳＲＳのアンテナ切り替えをサポートすることができる。ＳＲＳのアンテナ切り替えは通常、２つの異なる目的を有する。１つは、ＰＵＳＣＨに対する上りリンク伝送ダイバーシティ（開ループ又は閉ループのどちらでもよい）、もう１つは、チャネル相反性に基づく時分割多重（ＴＤＤ）又は周波数分割多重（ＦＤＤ）における下りリンクチャネルのＭＩＭＯビームフォーミングである。第５世代（５Ｇ）Ｎｅｗ  Ｒａｄｉｏ（ＮＲ）に対する第３世代パートナーシッププロジェクト（３ＧＰＰ）の仕様では、２つの非周期的ＳＲＳリソースセットによって、ＳＲＳ伝送に対する１Ｔ４Ｒ（即ち、１つの送信アンテナ及び４つの受信アンテナ）のアンテナ切り替えをサポートできることが、既に同意されている。２つの異なるスロットの異なるシンボルにおいて、合計４つのＳＲＳリソースを有する２つの非周期的ＳＲＳリソースセットを伝送することができる。各ＳＲＳリソースは、１つのＳＲＳポートにより構成され、各ＳＲＳリソースのＳＲＳポートは、端末機器の異なるアンテナポートと関連付けられている。２つのＳＲＳリソースセットのうち各ＳＲＳリソースセットが、２つのＳＲＳリソースにより構成されるか、又は１つのＳＲＳリソースセットが、１つのＳＲＳリソースにより構成され、且つもう１つのＳＲＳリソースセットが３つのＳＲＳリソースにより構成される。
【００３５】
ＳＲＳ伝送に対するアンテナ切り替えがイネーブルにされた状況では、ＳＲＳ伝送には保護時間が必要になる可能性がある。該保護時間では、端末機器は他のいかなる信号も伝送しない。その理由は、アンテナポートを切り替えて異なる信号を伝送するのに一定の時間を必要とするからである。しかしながら、ＳＲＳ伝送に必要な保護時間をどのように指示するかについて、未だ規定されていない。
【００３６】
上述の問題及び１つ又は複数の他の潜在的問題を解決するために、本開示の実施形態は、ＳＲＳ伝送に用いられる解決手段を提供する。該解決手段を用いることで、ＳＲＳリソースの前、後、又は間の保護時間をサポートすることができる。ＳＲＳ伝送に必要な保護時間が確保されない場合、１つ又は複数のＳＲＳリソースを廃棄することができる（これは、該１つ又は複数のＳＲＳリソースによってＳＲＳ伝送がスケジューリングされることはないことを表す）。
【００３７】
以下、図１〜１１を参考にしつつ、本開示の原理及び実現について詳細に説明する。
【００３８】
図１は、本開示を実現可能な例示的通信ネットワーク１００を示す。ネットワーク１００は、ネットワーク機器１１０と、ネットワーク機器１１０からサービスを受ける端末機器１２０とを含む。ネットワーク１００は、少なくとも１つのサービスセル１０２を提供して端末機器１２０にサービスを提供することができる。理解すべき点として、ネットワーク機器，端末機器及び／又はサービスセルの数は、説明の目的のために使用されるだけで、何らかの制限を示唆するものではない。ネットワーク１００は、本開示の実現に適した任意の適切な数のネットワーク機器、端末機器及び／又はサービスセルを含むことができる。
【００３９】
通信ネットワーク１００において、ネットワーク機器１１０は、データ及び制御情報を端末機器１２０に伝送することができ、端末機器１２０も、データ及び制御情報をネットワーク機器１１０に伝送することができる。ネットワーク機器１１０から端末機器１２０までのリンクは、下りリンク（ＤＬ）と称され、端末機器１２０からネットワーク機器１１０までのリンクは、上りリンク（ＵＬ）と称される。
【００４０】
ネットワーク１００における通信は、任意の適切な規格に適合させることができる。ここで任意の適切な規格には、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｌｏｎｇ  Ｔｅｒｍ  Ｅｖｏｌｕｔｉｏｎ（ＬＴＥ）、ＬＴＥ  Ｅｖｏｌｕｔｉｏｎ、ＬＴＥ−Ａｄｖａｎｃｅｄ（ＬＴＥ−Ａ）、広帯域符号分割多元接続（ＷＣＤＭＡ）、符号分割多元接続（ＣＤＭＡ）、ＧＳＭ／ＥＤＧＥ無線アクセスネットワーク（ＧＥＲＡＮ）等が含まれるが、これらに限定されない。また、現時点で既知の、又は将来開発される任意の世代の通信プロトコルに基づき、通信を実行することができる。通信プロトコルの例として第１世代（１Ｇ）、第２世代（２Ｇ）、２．５Ｇ、２．７５Ｇ、第３代（３Ｇ）、第四代（４Ｇ）、４．５Ｇ、第５世代（５Ｇ）の通信プロトコルが含まれるが、これらに限定されない。
【００４１】
正常なデータ通信以外に、ネットワーク機器１１０は下りリンクにおいて、端末機器１２０にＲＳを送信することもできる。同様に、端末機器１２０は上りリンクにおいて、ネットワーク機器１１０にＲＳを伝送することができる。一般的に、ＲＳは、ネットワーク機器１１０及び端末機器１２０の両者いずれにとっても既知の信号系列（「ＲＳ系列」とも称する）である。例えば、ＲＳ系列は、ネットワーク機器１１０が、あるルールに基づき生成し伝送することができ、また、端末機器１２０は同じルールに基づきＲＳ系列を導き出すことができる。ＲＳの例として、下りリンク又は上りリンク復調用参照信号（ＤＭＲＳ：Demodulation Reference Signal）、ＣＳＩ−ＲＳ、サウンディング参照信号（ＳＲＳ：Sounding Reference Signal）、位相追跡参照信号（ＰＴＲＳ：Phase Tracking Reference Signal）、追跡参照信号（ＴＲＳ：racking Reference Signal）、詳細な時間／周波数追跡参照信号（ＴＲＳ：fine time-frequency Tracking Reference Signal）、追跡用ＣＳＩ−ＲＳ等が含まれるが、これらに限定されない。
【００４２】
下りリンク及び上りリンクＲＳの伝送において、ネットワーク機器１１０は、伝送のために対応リソース（「ＲＳリソース」とも称する）を割り当てることができ、且つ／又は、どのＲＳ系列を伝送するか指定することができる。いくつかの状況では、ネットワーク機器１１０及び端末機器１２０はいずれも、複数のアンテナポート（又はアンテナ部品）を備えており、アンテナポート（アンテナ部品）を利用して指定されたＲＳ系列を伝送することができる。さらに、複数のＲＳポートと関連するＲＳリソースセットが指定される。ＲＳポートは、時間、周波数及び／又はコード領域において、ＲＳ伝送に割り当てられるリソースエリアの１つ又は複数のリソースエレメントに対する、一部又は全てのＲＳ系列の特定のマッピングを示すことができる。
【００４３】
ＳＲＳは、ネットワーク機器１１０が上りリンクチャネル推定に用いることができ、これにより、上りリンクチャネル推定の結果に基づき、端末機器１２０からのＵＬ伝送（例えばＰＵＳＣＨ伝送）のために、リソース分配を実行し伝送パラメータを設置することができる。ＳＲＳはさらに、その時間領域挙動に基づき、例えばＰ−ＳＲＳ、ＡＰ−ＳＲＳ及びＳＰ−ＳＲＳ等の異なるタイプに分けることができる。文中で使用する場合、「Ｐ−ＳＲＳ」とは時間領域において周期的に伝送されるＳＲＳを指す。「ＳＰ−ＳＲＳ」はＰ−ＳＲＳと似ているが、相違点として、ＳＰ−ＳＲＳの伝送は、信号によりアクティブ化し、且つ別の信号により非アクティブ化することができる。「ＡＰ−ＳＲＳ」とは、ネットワーク機器によりトリガ信号を介して、その伝送をトリガすることができるＳＲＳを指す。
【００４４】
端末機器１２０が、複数の受信アンテナポート及び複数／単数の送信アンテナポートをサポートしている状況では、ＳＲＳのアンテナ切り替えをサポートすることができる。例えば、２つの非周期的ＳＲＳリソースセットによって、ＳＲＳ伝送に対する１Ｔ４Ｒ（即ち、１つの送信アンテナ及び４つの受信アンテナ）のアンテナ切り替えをサポートできる。２つの異なるスロットの異なるシンボルにおいて、合計４つのＳＲＳリソースを有する２つの非周期的ＳＲＳリソースセットを伝送することができる。各ＳＲＳリソースは、１つのＳＲＳポートにより構成され、各ＳＲＳリソースのＳＲＳポートは、端末機器の異なるアンテナポートと関連付けられている。２つのＳＲＳリソースセットのうち各ＳＲＳリソースセットが２つのＳＲＳリソースにより構成されるか、又は１つのＳＲＳリソースセットが、１つのＳＲＳリソースにより構成され、且つもう１つのＳＲＳリソースセットが３つのＳＲＳリソースにより構成される。ＳＲＳ伝送に対するアンテナ切り替えがイネーブルにされた状況では、ＳＲＳ伝送には保護時間が必要になる可能性がある。該保護時間では、端末機器は他のいかなる信号も伝送しない。その理由は、アンテナポートを切り替えて異なる信号を伝送するのに一定の時間を必要とするからである。
【００４５】
図２は、本開示のいくつかの実施形態によるＳＲＳ伝送に用いられる例示的方法２００のフローチャートを示す。方法２００は、図１に示す端末機器１２０において実現することができる。理解すべき点として、方法２００はさらに、図示されていない付加的ブロック、及び／又は図示を省略可能ないくつかのブロックを含むことができ、この点において、本開示の範囲は制限を受けない。議論しやすいように、図１を参照して端末機器１２０の側から方法２００を説明する。
【００４６】
ブロック２１０において、少なくとも１つのＳＲＳリソースセットが、ネットワーク機器１１０に対してＳＲＳを伝送するために配置され、且つ端末機器１２０に対してアンテナ切り替えがイネーブルにされたことに応じて、端末機器１２０はＳＲＳ伝送に必要な少なくとも１つの保護時間を確定する。ネットワーク機器１１０に対して行われる上りリンク伝送は、少なくとも１つの保護時間以外にスケジューリングされると予期される。
【００４７】
いくつかの実施形態において、端末機器１２０は上りリンクチャネルのサブキャリア間隔（ＳＣＳ：subcarrier spacing）に基づき、少なくとも１つの保護時間を確定し、該上りリンクチャネルを介して、ＳＲＳ伝送及び上りリンク伝送を実行しようとする。いくつかの実施形態において、ＳＲＳ伝送に必要な少なくとも１つの保護時間は、少なくとも１つのＳＲＳリソースセットの前、又は、少なくとも１つのＳＲＳリソースセットにおける１つのＳＲＳリソースの前の第１保護時間、少なくとも１つのＳＲＳリソースセットの後、又は、少なくとも１つのＳＲＳリソースセットにおける１つのＳＲＳリソースの後の第２保護時間、及び、少なくとも１つのＳＲＳリソースセットのうちの２つのＳＲＳリソースの間の第３保護時間のうち、少なくとも一つを含むことができる。
【００４８】
いくつかの実施形態において、異なる配置に対して、少なくとも１つのＳＲＳリソースセットの前又は少なくとも１つのＳＲＳリソースセットにおける１つのＳＲＳリソースの前の第１保護時間のシンボル数は、異なっていてよい。例えば、いくつかの実施形態において、ＳＲＳ伝送用ＳＣＳの異なる値に対し、第１保護時間のシンボル数は異なっていてよい。
【００４９】
いくつかの実施形態において、少なくとも１つのＳＲＳリソースセットの前又は少なくとも１つのＳＲＳリソースセットにおける１つのＳＲＳリソースの前の第１保護時間のシンボル数は、少なくとも１つのＳＲＳリソースセットにおける２つのＳＲＳリソースの間の第３保護時間のシンボル数と異なっていてよい。
【００５０】
いくつかの実施形態において、少なくとも１つのＳＲＳリソースセットの前又は少なくとも１つのＳＲＳリソースセットにおける１つのＳＲＳリソースの前の第１保護時間のシンボル数は、少なくとも１つのＳＲＳリソースセットの後又は少なくとも１つのＳＲＳリソースセットにおける１つのＳＲＳリソースの後の第２保護時間のシンボル数と異なっていてよい。
【００５１】
いくつかの実施形態において、ＳＣＳの異なる値（例えば、１５ｋＨｚ、３０ｋＨｚ、６０ｋＨｚ又は１２０ｋＨｚ）に対し、少なくとも１つのＳＲＳリソースセットの前又は少なくとも１つのＳＲＳリソースセットにおける１つのＳＲＳリソースの前の第１保護時間は、０又は１つのシンボルであり得る。具体的に、いくつかの実施形態において、ＳＣＳが１５ｋＨｚ、３０ｋＨｚ又は６０ｋＨｚである状況では、少なくとも１つのＳＲＳリソースセットの前又は少なくとも１つのＳＲＳリソースセットにおける１つのＳＲＳリソースの前の第１保護時間は、０個のシンボルであり得る。他のいくつかの実施形態において、ＳＣＳが１２０ｋＨｚの状況では、少なくとも１つのＳＲＳリソースセットの前又は少なくとも１つのＳＲＳリソースセットにおける１つのＳＲＳリソースの前の第１保護時間は、１つのシンボルであり得る。
【００５２】
いくつかの実施形態において、異なる配置に対し、少なくとも１つのＳＲＳリソースセットの後又は少なくとも１つのＳＲＳリソースセットにおける１つのＳＲＳリソースの後の第２保護時間のシンボル数は、異なっていてよい。例えば、いくつかの実施形態において、ＳＲＳ伝送用のＳＣＳの異なる値に対して、第２保護時間のシンボル数は、異なっていてよい。
【００５３】
いくつかの実施形態において、少なくとも１つのＳＲＳリソースセットの後又は少なくとも１つのＳＲＳリソースセットにおける１つのＳＲＳリソースの後の第２保護時間のシンボル数は、少なくとも１つのＳＲＳリソースセットにおける２つのＳＲＳリソースの間の第３保護時間のシンボル数と異なっていてよい。
【００５４】
いくつかの実施形態において、ＳＣＳの異なる値（例えば、１５ｋＨｚ、３０ｋＨｚ、６０ｋＨｚ又は１２０ｋＨｚ）に対し、少なくとも１つのＳＲＳリソースセットの後又は少なくとも１つのＳＲＳリソースセットにおける１つのＳＲＳリソースの後の第２保護時間は、０又は１つのシンボルであり得る。具体的に、いくつかの実施形態において、ＳＣＳが１５ｋＨｚ、３０ｋＨｚ又は６０ｋＨｚである状況では、少なくとも１つのＳＲＳリソースセットの後又は少なくとも１つのＳＲＳリソースセットにおける１つのＳＲＳリソースの後の第２保護時間は、０個のシンボルであり得る。他のいくつかの実施形態において、ＳＣＳが１２０ｋＨｚの状況では、少なくとも１つのＳＲＳリソースセットの後又は少なくとも１つのＳＲＳリソースセットにおける１つのＳＲＳリソースの後の第２保護時間は、１つのシンボルであり得る。
【００５５】
いくつかの実施形態において、少なくとも１つのＳＲＳリソースセットにおける２つのＳＲＳリソースの間の第３保護時間に関し、以下のとおり表１に、アンテナ切り替え用のＳＲＳリソースセットにおける２つのＳＲＳリソースの間の最小保護時間を示す。
ＳＲＳリソースセットにおける２つのＳＲＳリソースの間の最小保護時間
【表１】
2021531670.tif 000003
【００５６】
図３Ａ及び図３Ｂは、本開示のいくつかの実施形態によるＳＲＳ伝送用の保護時間の例を示す。図３Ａ及び図３Ｂに示す例において、上りリンクチャネルのＳＣＳが１２０ｋＨｚであると仮定し、２つのＳＲＳリソースセットがＳＲＳ伝送用に配置され、各ＳＲＳリソースセットが２つのＳＲＳリソースにより構成されると仮定する。１つのスロットが合計１４個のシンボル（第１〜第１４シンボル）を含む場合、１つのＳＲＳリソースセットのうち２つのＳＲＳリソースは、１つのスロットのうち最後の６個のシンボル（第９〜第１４シンボル）に位置することができる。図３Ａに示すように、１つのＳＲＳリソースセットのうち２つのＳＲＳリソースは、それぞれ、１つのスロットのうちの第９シンボル３１１及び第１２シンボル３１２に位置している。第１０シンボル３１３及び第１１シンボル３１４は、ＳＲＳリソース３１１と３１２との間の保護時間として保留される。第８シンボル３１５は、ＳＲＳリソース３１１の前の保護時間として保留することができる。図３Ｂに示すように、１つのＳＲＳリソースセットのうち２つのＳＲＳリソースは、それぞれ、１つのスロットのうちの第１０シンボル３２１及び第１３シンボル３２２に位置している。第１１シンボル３２３及び第１２シンボル３２４は、ＳＲＳリソース３２１と３２２との間の保護時間として保留される。第１４シンボル３２５は、ＳＲＳリソース３２２の後の保護時間として保留することができる。
【００５７】
いくつかの実施形態において、ＳＣＳが１５ｋＨｚ、３０ｋＨｚ又は６０ｋＨｚである状況では、１つのスロット内のＳＲＳリソースの間には、２つ以上のシンボルが存在し得る。いくつかの実施形態において、１つのスロット内のＳＲＳリソース間のいくつかのシンボルは、他の上りリンク信号の伝送に用いることができる。図４は、このような実施形態の例を示す。図４に示す例において、上りリンクチャネルのＳＣＳが１５ｋＨｚ、３０ｋＨｚ又は６０ｋＨｚであると仮定し、２つのＳＲＳリソースセットがＳＲＳ伝送用に配置され、各ＳＲＳリソースセットが２つのＳＲＳリソースにより構成されると仮定する。１つのスロットが合計１４個のシンボル（第１〜第１４シンボル）を含む場合、１つのＳＲＳリソースセットのうち２つのＳＲＳリソースは、１つのスロットのうち最後の６個のシンボル（第９〜第１４シンボル）に位置することができる。図４に示すように、１つのＳＲＳリソースセットのうち２つのＳＲＳリソースは、それぞれ、１つのスロットのうちの第９シンボル４１０及び第１４シンボル４２０に位置している。第１０シンボル４３０は、ＳＲＳリソース４１０の後の保護時間として保留することができ、第１３シンボル４４０は、ＳＲＳリソース４２０の前の保護時間として保留することができる。第１１シンボル４５０及び第１２シンボル４６０は、他の上りリンク信号の伝送に用いることができる。
【００５８】
いくつかの実施形態において、１２０ｋＨｚのＳＣＳを、ＳＲＳ伝送用として配置することができる。このような状況では、１つのスロットにおいてＳＲＳリソースの前に、他のＵＬ／ＤＬ伝送が配置され、且つ／又は、後続スロットにおいてＳＲＳリソースの後に、他のＵＬ／ＤＬ伝送が配置されると、該スロット内のＳＲＳリソース伝送には、１つのモードだけが用いられる可能性がある。例えば、第９シンボルは、ＳＲＳリソースの前の保護時間として保留することができる。第１０シンボルは、ＳＲＳリソース伝送用に配置することができる。第１１及び第１２シンボルは、ＳＲＳリソースの間の保護時間として保留することができる。第１３シンボルは、ＳＲＳリソース伝送用に配置することができ、第１４シンボルは、ＳＲＳリソースの後の保護時間として保留することができる。
【００５９】
いくつかの実施形態において、ＳＣＳが１２０ｋＨｚである状況では、１つのスロット内のＳＲＳリソースの間に、３つ以上のシンボルが存在し得る。いくつかの実施形態において、１つのスロット内のＳＲＳリソースの間にシンボルがいくつ存在したとしても、１つのスロット内のＳＲＳリソース間のこれらシンボルには、上りリンク伝送をスケジューリングすることはできない。いくつかの実施形態において、ＳＣＳが１２０ｋＨｚである状況では、１つのスロット内のＳＲＳリソース間のシンボルに、上りリンク伝送をスケジューリングすると、これらのＳＲＳリソースは廃棄されてしまう（即ち、ＳＲＳリソースによってＳＲＳ伝送がスケジューリングされることはない）。
【００６０】
いくつかの実施形態において、１つのスロット内のＳＲＳリソースの間にスケジューリングされた上りリンク伝送が存在する場合、いくつかの要件を満たさなければならない可能性がある。例えば、該要件は以下の要件を含むことができる。即ち、１つのスロット内の２つのＳＲＳリソース間の時間間隔は、Ｋ個のシンボル以上でなければならず、ここでＫ＝３又は４である。選択的に又は付加的に、該要件は、ＳＣＳが１５ｋＨｚ、３０ｋＨｚ又は６０ｋＨｚの場合のみであり、１２０ｋＨｚであってはならないという要件を含んでもよい。選択的に又は付加的に、該要件は、１つのＳＲＳリソースのシンボル数は１のみであるという要件を含んでもよい。選択的に又は付加的に、該要件は、ＳＲＳ伝送と他のＵＬ伝送との間に、保護時間（少なくとも１つのシンボル）が存在しなければならないという要件を含んでもよい。
【００６１】
いくつかの実施形態において、上述したように、ＳＣＳが１５ｋＨｚ、３０ｋＨｚ又は６０ｋＨｚである状況では、１つのスロット内のＳＲＳリソースの間には２つ以上のシンボルが存在し得る。また、ＳＣＳが１２０ｋＨｚである状況では、１つのスロット内のＳＲＳリソースの間には３つ以上のシンボルが存在し得る。いくつかの実施形態において、１つのスロット内のＳＲＳリソース間のいくつかのシンボルは、他の上りリンク信号の伝送に用いることができる。いくつかの実施形態において、１つのＳＲＳリソース及び他の上りリンク信号の伝送が、端末機器１２０の送信（ＴＸ）アンテナに関する同一配置（例えば、同一のＴＸビーム又は同一のＴＸ空間フィルタ）と関連する場合、ＳＲＳリソースと他の上りリンク信号の伝送との間には、保護時間を設けなくてよいが、他の上りリンク信号の伝送と、該スロットにおける他のＳＲＳリソースとの間には、保護時間を保留しなければならない。図５は、このような実施形態の例を示す。図５に示す例において、ＳＲＳ伝送に２つのＳＲＳリソースセットが配置され、各ＳＲＳリソースセットが２つのＳＲＳリソースにより構成されると仮定する。１つのスロットが合計１４個のシンボル（第１〜第１４シンボル）を含む場合、１つのＳＲＳリソースセットのうち２つのＳＲＳリソースは、１つのスロットのうち最後の６個のシンボル（第９〜第１４シンボル）に位置することができる。図５に示すように、１つのＳＲＳリソースセットのうち２つのＳＲＳリソースは、それぞれ、１つのスロットのうちの第１０シンボル５１０及び第１４シンボル５２０に位置している。ＳＲＳリソース５１０及び他の上りリンク信号の伝送が、同一のＴＸビーム又は同一のＴＸ空間フィルタと関連する場合、第１１シンボル５３０及び／又は第１２シンボル５４０は、他の上りリンク信号の伝送に用いることができる。即ち、ＳＲＳリソース５１０と他の上りリンク信号の伝送との間に、保護時間を設けない。また、第１３シンボル５５０は、他の上りリンク信号の伝送と、ＳＲＳリソース５２０との間の保護時間として保留することができる。
【００６２】
図２に戻って、ブロック２２０において、端末機器１２０は、少なくとも１つの保護時間に対する要件が満たされているかを確定する。要件が満たされている場合、上りリンク伝送が少なくとも１つの保護時間以外にスケジューリングされ、ブロック２３０において、端末機器１２０は少なくとも１つのＳＲＳリソースセットによって、ネットワーク機器１１０にＳＲＳを伝送する。要件が満たされていない場合、上りリンク伝送が少なくとも１つの保護時間内にスケジューリングされ、ブロック２４０において、端末機器１２０は、ＳＲＳ伝送に用いられる少なくとも１つのＳＲＳリソースセットの少なくとも一部をディセーブルにする（廃棄）。
【００６３】
いくつかの実施形態において、優先度がＳＲＳ伝送より高い上りリンク伝送が、少なくとも１つの保護時間内にスケジューリングされた場合、端末機器１２０は、少なくとも１つのＳＲＳリソースセットにおいて、廃棄すべき１つ又は複数のＳＲＳリソースを確定する。例えば、端末機器１２０は、伝送するＳＲＳのタイプ、端末機器１２０のアンテナモード、及び上りリンクチャネルのＳＣＳのうち、少なくとも１つに基づき、１つ又は複数のＳＲＳリソースを確定することができる。例えば、ＳＲＳのタイプは、該ＳＲＳが周期的か、半持続的か、または非周期的かを指すことができる。端末機器１２０のアンテナモードは、１Ｔ４Ｒ、１Ｔ２Ｒ、２Ｔ４Ｒ、１Ｔ８Ｒ、２Ｔ８Ｒ等の一つを含むことができる。上りリンクチャネルのＳＣＳは、１５ｋＨｚ、３０ｋＨｚ、６０ｋＨｚ、１２０ｋＨｚ等のうちの１つであり得る。
【００６４】
いくつかの実施形態において、優先度がＳＲＳ伝送より高い上りリンク伝送が、少なくとも１つの保護時間内にスケジューリングされた場合、端末機器１２０は少なくとも１つのＳＲＳリソースセットにおける全てのＳＲＳリソースを一括で廃棄することができる（即ち、少なくとも１つのＳＲＳリソースセットにおける全てのＳＲＳリソースにより行う一括伝送）。例えば、いくつかの実施形態において、ＳＲＳは周期的又は半持続的であり得る。このような状況で、端末機器１２０のアンテナモードが１Ｔ２Ｒ又は２Ｔ４Ｒである場合、合計で２つのＳＲＳリソースを有する１つのＳＲＳリソースセットを廃棄することができる。また、端末機器１２０のアンテナモードが前述の１Ｔ４Ｒである場合、合計で４つのＳＲＳリソースを有する２つのＳＲＳリソースセットを廃棄することができる。他のいくつかの実施形態において、ＳＲＳは非周期的であり得る。このような状況において、端末機器１２０のアンテナモードが１Ｔ２Ｒである場合、合計で２つのＳＲＳリソースを有する１つのＳＲＳリソースセットを廃棄することができる。また、端末機器１２０のアンテナモードが前述の１Ｔ４Ｒである場合、合計で４つのＳＲＳリソースを有する２つのＳＲＳリソースセットを廃棄することができる。
【００６５】
いくつかの実施形態において、優先度がＳＲＳ伝送より高い上りリンク伝送が、少なくとも１つの保護時間内にスケジューリングされた場合、端末機器１２０は、残りのＳＲＳリソースで行うＳＲＳ伝送に必要な保護時間が確保できるまで、少なくとも１つのＳＲＳリソースセットのうち、少なくとも１つの保護時間と衝突するいくつかのＳＲＳリソースのみを廃棄することができる。
【００６６】
図６Ａ及び図６Ｂは、このような実施形態の例を示す。図６Ａ及び図６Ｂに示す例では、２つのＳＲＳリソースセットがＳＲＳ伝送用に配置され、各ＳＲＳリソースセットが２つのＳＲＳリソースにより構成されると仮定する。１つのスロットが合計１４個のシンボル（第１〜第１４シンボル）を含む場合、１つのＳＲＳリソースセットのうち２つのＳＲＳリソースは、１つのスロットのうち最後の６個のシンボル（第９〜第１４シンボル）に位置することができる。図６Ａに示すように、１つのＳＲＳリソースセットのうち２つのＳＲＳリソースは、それぞれ、１つのスロットのうちの第９シンボル６１０及び第１２シンボル６２０に位置している。第８シンボル６３０は、ＳＲＳより高い優先度を有する他の上りリンク信号の伝送に用いられる。このような状況では、第８シンボル６３０における他の上りリンク信号の伝送と、第９シンボルにおけるＳＲＳ伝送との間に、保護時間がないため、ＳＲＳリソース６１０を廃棄することができる。図６Ｂに示すように、１つのＳＲＳリソースセットにおける２つのＳＲＳリソースは、それぞれ、１つのスロット内の第１１シンボル６４０及び第１４シンボル６５０に位置する。次のスロットの第１シンボル６６０は、ＳＲＳより高い優先度を有する他の上りリンク信号の伝送に用いられる。このような状況では、当該スロットのうち第１４シンボル６５０における他の上りリンク信号の伝送と、次のスロットの第１シンボル６６０におけるＳＲＳ伝送との間に、保護時間がないため、ＳＲＳリソース６５０を廃棄することができる。
【００６７】
いくつかの実施形態において、１つのＳＲＳリソースセットにおけるＳＲＳリソースが廃棄されることが確定したが、他の上りリンク信号（ＳＲＳより高い優先度を有する）の伝送及びＳＲＳリソースが、端末機器１２０の送信アンテナの同一配置（例えば、同一のＱＣＬ又はＴＸ空間フィルタ）と関連する場合、ＳＲＳリソースを廃棄しなくてよい。即ち、該ＳＲＳリソースで行うＳＲＳ伝送を、実行することができる。
【００６８】
いくつかの実施形態において、優先度がＳＲＳ伝送より高い上りリンク伝送が、少なくとも１つの保護時間内にスケジューリングされた場合、端末機器１２０は、残りのＳＲＳリソースセットで行うＳＲＳ伝送に必要な保護時間が確保できるまで、少なくとも１つの保護時間と衝突するＳＲＳリソースセットのみを廃棄することができる。例えば、伝送するＳＲＳが非周期的で、且つ端末機器１２０のアンテナモードが１Ｔ４Ｒである状況では、２つの非周期的ＳＲＳリソースセットをＳＲＳ伝送用に配置することができる。２つのＳＲＳリソースセットのうち１つのＳＲＳリソースセットと、他の上りリンク信号の伝送との間で、必要な保護時間が確保できない場合、該ＳＲＳリソースセットを廃棄することができる。また、２つのＳＲＳリソースセットのうちもう１つのＳＲＳリソースセットと、他の上りリンク信号の伝送との間の必要な保護時間が確保できる場合、該もう１つのＳＲＳリソースセットで行うＳＲＳ伝送は、実行することができる。
【００６９】
いくつかの実施形態において、上りリンクチャネルのＳＣＳが１２０ｋＨｚで、且つ端末機器１２０のアンテナモードが１Ｔ４Ｒである場合、合計４つのＳＲＳリソースを有する２つの非周期的ＳＲＳリソースセットをＳＲＳ伝送用に配置することができ、２つのＳＲＳリソースセットのうち各ＳＲＳリソースセットが、２つのＳＲＳリソースを含むことができる。即ち、このような状況に対し、１つのＳＲＳリソースを有する一つのＳＲＳリソースセット及び３つのＳＲＳリソースを有するもう１つのＳＲＳリソースセットは、使用できない可能性がある。
【００７０】
いくつかの実施形態において、優先度がＳＲＳ伝送より高い上りリンク伝送が、少なくとも１つの保護時間内にスケジューリングされた場合、端末機器１２０は、所定の廃棄ルールに基づき、少なくとも１つのＳＲＳリソースセットにおいて、廃棄すべき１つ又は複数のＳＲＳリソースを確定する。いくつかの実施形態において、ＳＲＳ伝送のための異なる配置に対して、廃棄ルールは異なっていてよい。いくつかの実施形態において、例えば、周期的又は半持続的ＳＲＳのアンテナ切り替えの廃棄ルールは、非周期的ＳＲＳのアンテナ切り替えの廃棄ルールと、異なっていてよい。いくつかの実施形態において、周期的又は半持続的ＳＲＳのアンテナ切り替えに対し、ＳＲＳリソース又はＳＲＳリソースセットに基づき廃棄を行うことができる。非周期的ＳＲＳのアンテナ切り替えに対し、ＳＲＳリソースセット又はＳＲＳ伝送のために配置される全てのＳＲＳリソースセットに基づき、廃棄を行うことができる。いくつかの実施形態において、周期的又は半持続的ＳＲＳのアンテナ切り替えに対し、１つのＳＲＳリソースが必要とする保護時間が確保できない場合、該ＳＲＳリソース又は該ＳＲＳリソースを含むＳＲＳリソースセットを廃棄することができる。いくつかの実施形態において、非周期的ＳＲＳのアンテナ切り替えに対し、１つのＳＲＳリソースセットが必要とする保護時間が確保できない場合、該ＳＲＳリソースセット又はＳＲＳ伝送のために配置される全てのＳＲＳリソースセットを廃棄することができる。
【００７１】
図７Ａ及び図７Ｂは、このような実施形態の例を示す。図７Ａ及び図７Ｂに示す例では、２つのＳＲＳリソースセットがＳＲＳ伝送用に配置され、各ＳＲＳリソースセットが２つのＳＲＳリソースにより構成されると仮定する。１つのスロットが合計１４個のシンボル（第１〜第１４シンボル）を含む場合、１つのＳＲＳリソースセットのうち２つのＳＲＳリソースは、１つのスロットのうち最後の６個のシンボル（第９〜第１４シンボル）に位置することができる。図７Ａは、周期的又は半持続的ＳＲＳのアンテナ切り替えの例を示す。図７Ａに示すように、１つのＳＲＳリソースセットにおける２つのＳＲＳリソースは、それぞれ、１つのスロット内の第９シンボル７１０及び第１２シンボル７２０に位置する。第８シンボル７３０は、ＳＲＳより高い優先度を有する他の上りリンク信号の伝送に用いられる。このような状況では、第８シンボル７３０における他の上りリンク信号の伝送と、第９シンボル７１０におけるＳＲＳ伝送との間に、保護時間がないため、ＳＲＳリソース７１０を廃棄することができる。図７Ｂは、非周期的ＳＲＳのアンテナ切り替えの例を示す。図７Ｂに示すように、１つのＳＲＳリソースセットにおける２つのＳＲＳリソースは、それぞれ、１つのスロット内の第９シンボル７４０及び第１２シンボル７５０に位置する。第８シンボル７６０は、ＳＲＳより高い優先度を有する他の上りリンク信号の伝送に用いられる。このような状況では、ＳＲＳリソース７４０及び７５０を廃棄することができる。
【００７２】
いくつかの実施形態において、ＳＲＳ伝送に用いられるＳＣＳは、同一の帯域幅部分（ＢＷＰ：bandwidth part）内、同一のキャリア成分（ＣＣ：carrier component）内又は同一スロット内の他の上りリンク伝送のＳＣＳと異なっていてよい。例えば、ＳＲＳ伝送に用いられるＳＣＳ（「第２ＳＣＳ」とも称する）は、他の上りリンク伝送に用いられるＳＣＳ（「第１ＳＣＳ」とも称する）より大きくてよい。例えば、他の上りリンク伝送は、ＰＵＳＣＨ又はＰＵＣＣＨであり得る。例えば、１つのスロットが合計１４個のシンボル（第１〜第１４シンボル）を含む場合、ＳＲＳ伝送用のＳＲＳリソースは、１つのスロットのうち最後の６個のシンボル（第９〜第１４シンボル）に位置することができる。他の上りリンク伝送に用いられるＳＣＳは、「Ｓ０」と表すことができる。ＳＲＳ伝送に用いられるＳＣＳは、「Ｓ１」と表すことができる。いくつかの実施形態において、Ｓ１≧Ｓ０である。具体的に、いくつかの実施形態において、Ｓ１＝Ｋ＊Ｓ０であり、ここでＫは自然数である。これは、ＳＲＳ伝送に用いられる実際のシンボル数がもっと多くてよいことを示している。例えば、最多でＬ個のシンボルがＳＲＳ伝送用に分配され、且つＳ１＝Ｋ＊Ｓ０であれば、最多でＫ＊Ｌ個のシンボルがＳＲＳ伝送に用いられることになる。
【００７３】
図８Ａ〜図８Ｃは、このような実施形態の例を示す。図８Ａ〜図８Ｃに示す例では、ＳＲＳ伝送に用いられるＳＣＳがＳ１で、他の上りリンク伝送に用いられるＳＣＳがＳ０であり、Ｓ１＝Ｋ＊Ｓ０で且つＫが自然数であると仮定する。図８Ａに示す例では、Ｓ１＝Ｓ０である。図８Ａに示すように、１つのスロット内の２つのシンボルでＳＲＳを伝送しており、それらは第９シンボル及び第１２シンボルである。図８Ｂに示す例では、Ｓ１＝２＊Ｓ０である。図８Ｂに示すように、実際に１つのスロット内の４つのシンボルでＳＲＳを伝送することができる。図８Ｃに示す例では、Ｓ１＝４＊Ｓ０である。図８Ｃに示すように、実際に１つのスロット内の８つのシンボルでＳＲＳを伝送することができる。
【００７４】
現在の３ＧＰＰの仕様では、１つのスロットにおいてＳＲＳ伝送に用いられる開始シンボルの開始位置（即ち、第９シンボルに対するシンボルオフセット）は、０、１、２、……、５のうち任意の１つとすることができると示されている。該開始位置は、ＳＲＳの伝送前に端末機器１２０に指示することができる。また、いくつかの実施形態において、ＳＲＳ伝送用のＳＣＳ（即ちＳ１）を示す１つのパラメータを指示することができる。いくつかの実施形態において、端末機器１２０に、他の上りリンク伝送に用いられるＳＣＳより小さいＳＲＳ伝送用のＳＣＳが配置されていると予期しなくてよい。即ち、端末機器１２０にＳ１＜Ｓ０であるＳ１が配置されると予期しなくてよい。いくつかの実施形態において、開始位置以外に、ＳＲＳ伝送用のＳＣＳに関する１つのパラメータを指示することができる。例えば、開始位置以外に、Ｓ１＝Ｋ＊Ｓ０を示すパラメータＫを指示することができる（ここで、Ｓ１はＳＲＳ伝送用ＳＣＳを表し、Ｓ０は他の上りリンク伝送に用いられるＳＣＳを表す）。例えば、Ｋは１、２、４及び８のうちのいずれか１つであり得る。いくつかの実施形態において、Ｓ０の異なる値に対し、Ｋの対応する値は異なっていてよい。例えば、Ｓ０が１５ｋＨｚであれば、Ｋは１、２、４及び８のうちのいずれか１つであり得る。例えば、Ｓ０が３０ｋＨｚであれば、Ｋは１、２及び４のうちのいずれか１つであり得る。例えば、Ｓ０が６０ｋＨｚであれば、Ｋは１または２であり得る。例えば、Ｓ０が１２０ｋＨｚであれば、Ｋは１であってよく、又は、このような状況ではパラメータＫを指示しなくてよい。このようにして、１Ｔ４Ｒ  ＳＲＳのアンテナ切り替えに対し、１つのＳＲＳリソースセットだけで（３ＧＰＰ仕様における２つのＳＲＳリソースセットではなく）、ＳＲＳ伝送を行うことができる。
【００７５】
いくつかの実施形態において、ＳＲＳ一括伝送（即ち、全てのＳＲＳリソースセットが一括伝送される）に対し、Ｍ個のＳＲＳリソースセットが存在し得る。ここでＭは整数で且つＭ＞１である。Ｍ個のＳＲＳリソースセットはそれぞれ、Ｍ個のトリガ信号によりトリガすることができる。例えば、１つのトリガ信号は、対応するＳＲＳリソースセットにより行われる伝送をトリガすることができる。しかしながら、トリガ信号と、対応するＳＲＳリソースセットにより行われる伝送との間には、タイムオフセットが存在する可能性がある。いくつかの実施形態において、前述の状況では、Ｍ個のトリガ信号を受信するための時間窓若しくは時間帯を配置するか、又は予め設定することができる。例えば、該時間窓又は時間帯内に、Ｍ個のトリガ信号を受信できない場合、ＳＲＳ伝送用に配置された全てのＳＲＳリソースセットを廃棄することができる。別の例示として、ＳＲＳ伝送（例えば、Ｍ個のＳＲＳリソースセットのうち最も早いＳＲＳリソースセットで行う伝送）の前に、Ｍ個のトリガ信号のうちのいずれか１つを受信できない場合、Ｍ個の全てのＳＲＳリソースセットを廃棄する。
【００７６】
いくつかの実施形態において、ＳＲＳのアンテナ切り替えに対し、Ｍ個のＳＲＳリソースセット（ここでＭは整数で且つＭ＞１）が存在することができ、該Ｍ個のＳＲＳリソースセットはそれぞれ、Ｍ個のＤＣＩによりトリガすることができる。いくつかの実施形態において、ＳＲＳ伝送（例えば、Ｍ個のＳＲＳリソースセットのうち最も早いＳＲＳリソースセットで行う伝送）の前に、Ｍ個のＤＣＩのうちのいずれか１つを受信できない場合、端末機器１２０がＭ個のＳＲＳリソースセットによりＳＲＳを伝送することを予期しなくてよい。いくつかの実施形態において、Ｍ個のトリガ信号を受信するための時間窓若しくは時間帯を配置するか、又は予め設定することができる。例えば、異なるＤＣＩを受信するための時間窓又は時間帯は、Ｎ個のスロット、マイクロセカンド又はシンボルとして表される。いくつかの実施形態において、該時間窓又は時間帯は、Ｍ個のＤＣＩにおけるＤＣＩの最初に受信した、最初又は最後のシンボルから開始することができる。いくつかの実施形態において、該時間窓又は時間帯内にＭ個のＤＣＩを受信できない場合、端末機器１２０がＭ個のＳＲＳリソースセットによりＳＲＳを伝送すると予期しなくてよい。いくつかの実施形態において、Ｎの値は、異なる状況において（例えば、ＳＲＳ伝送用の異なるＳＣＳ）異なっていてよい。
【００７７】
いくつかの実施形態において、１Ｔ４Ｒ  ＳＲＳのアンテナ切り替えに対し、ＳＲＳ伝送用に配置される少なくとも１つのＳＲＳリソースセットは、第１ＳＲＳリソースセット及び第２ＳＲＳリソースセットを含むことができる。第１ＳＲＳリソースセットより行われる第１ＳＲＳ伝送は、第１ＤＣＩによりトリガすることができ、第２ＳＲＳリソースセットにより行われる第２ＳＲＳ伝送は、第２ＤＣＩによりトリガすることができる。例えば、第１ＳＲＳは第２ＳＲＳの伝送前に伝送される。いくつかの実施形態において、第１ＳＲＳの伝送前にネットワーク機器１１０から第２ＤＣＩを受信できないことに応じて、第１ＳＲＳリソースセット及び第２ＳＲＳリソースセットの両方を廃棄する。他のいくつかの実施形態において、予め設定されたか又は配置された時間帯又は時間窓内において、ネットワーク機器１１０から第２ＤＣＩを受信できないことに応じて、第１ＳＲＳリソースセット及び第２ＳＲＳリソースセットの両方を廃棄する。例えば、予め設定されたか又は配置された時間帯又は時間窓は、第一ＤＣＩの受信した最初又は最後のシンボルから開始することができる。
【００７８】
いくつかの実施形態において、ＴＲＳの一括受信（即ち、全てのＴＲＳリソースセットが一括受信される）に対し、Ｍ個のＴＲＳリソースセットが存在することができ、ここで、Ｍは整数で且つＭ＞１である。Ｍ個のＴＲＳリソースセットはそれぞれ、Ｍ個のトリガ信号によりトリガすることができる。例えば、１つのトリガ信号は、対応するＴＲＳリソースセットにより行われる受信をトリガすることができる。しかしながら、トリガ信号と、対応するＴＲＳリソースセットにより行われる受信との間には、タイムオフセットが存在する可能性がある。いくつかの実施形態において、前述の状況では、Ｍ個のトリガ信号を受信するための時間窓若しくは時間帯を配置するか、又は予め設定することができる。例えば、該時間窓又は時間帯内に、Ｍ個のトリガ信号を受信できない場合、ＴＲＳ受信用に配置された全てのＴＲＳリソースセットを廃棄することができる。別の例示として、ＴＲＳ受信（例えば、Ｍ個のＴＲＳリソースセットのうち最も早いＴＲＳリソースセットで行う受信）の前に、Ｍ個のトリガ信号のうちのいずれか１つを受信できない場合、全てのＭ個のＴＲＳリソースセットが廃棄される。いくつかの実施形態において、２つのＴＲＳリソースセットにより行われる受信の間に配置されたスロットのオフセットが、０でない場合、全てのＭ個のＴＲＳリソースセットが廃棄される。選択的に、いくつかの実施形態において，２つのＴＲＳリソースセットにより行われる受信の間に配置されたスロットのオフセットが、１ではない、又は閾値Ｔより大きい場合、全てのＭ個のＴＲＳリソースセットが廃棄される。例えば、閾値Ｔは１又は２個のスロットであり得る。
【００７９】
図９Ａ〜図９Ｃはこのような実施形態の例を示す。図９Ａ〜９Ｃに示す例において、２つのＳＲＳリソースセット９１０及び９２０が、ＳＲＳ伝送用に配置されると仮定する。ＳＲＳ一括伝送において、ＳＲＳリソースセット９１０により行われるＳＲＳ伝送は、ＳＲＳリソースセット９２０により行われるＳＲＳ伝送より早い。図９Ａは、ＳＲＳリソースセットが廃棄されていない正常な状況を示す。図９Ａに示すように、スロットＮで、ＳＲＳリソースセット９１０に対するトリガ（例えば、ＤＣＩ）を受信し、スロットＮ＋Ｋ１で、ＳＲＳリソースセット９２０に対するトリガを受信する。ここで、Ｋ１は自然数である。ＳＲＳ一括伝送において、ＳＲＳリソースセット９１０により行われるＳＲＳ伝送は、スロットＮ＋Ｋ２で実行され、ここでＫ２＞Ｋ１である。ＳＲＳリソースセット９２０により行われるＳＲＳ伝送は、スロットＮ＋Ｋ３で実行され、ここでＫ３＞Ｋ２である。図９Ｂは、図９Ａと異なる状況を示す。図９Ｂに示すように、ＳＲＳリソースセット９１０に対するトリガがスロットＮで受信され、ＳＲＳリソースセット９１０により行われるＳＲＳ伝送は、スロットＮ＋Ｋ１にスケジューリングされ、ここでＫ１は自然数である。ＳＲＳリソースセット９２０に対するトリガは、スロットＮ＋Ｋ２で受信され、ＳＲＳリソースセット９２０により行われるＳＲＳ伝送は、スロットＮ＋Ｋ３にスケジューリングされ、ここでＫ２＜Ｋ３である。しかしながら、図９Ｂに示すように、Ｋ２＜Ｋ１であり、これは、ＳＲＳリソースセット９１０により行われるＳＲＳ伝送の前に、ＳＲＳリソースセット９２０に対するトリガを受信できないことを表す。このような状況では、２つのＳＲＳリソースセット９１０及び９２０は、廃棄することができる。即ち、端末機器１２０が２つのＳＲＳリソースセット９１０及び９２０により、ＳＲＳを伝送することは予期しなくてよい。図９Ｃは、いくつかの実施形態による別の状況の例を示す。図９Ｃに示すように、ＳＲＳリソースセット９１０のトリガはスロットＮで受信され、もう１つのＳＲＳリソースセット９２０に対するトリガは、Ｎ個のスロット／シンボル／ｍｓの時間窓内で受信されると予期される。Ｎ個のスロット／シンボル／ｍｓ内で、もう１つのＳＲＳリソースセット９２０に対するトリガを受信できない場合、２つのＳＲＳリソースセットはいずれも廃棄することができる。
【００８０】
以上、本開示のいくつかの実施形態の例として、１Ｔ４Ｒのアンテナ切り替えに用いられる２つのＳＲＳリソースセットのみを示したが、理解すべき点として、端末機器１２０の異なるアンテナモードに対し、ＳＲＳのアンテナ切り替えのために異なる数のＳＲＳリソースセットを配置することができる。例えば、いくつかの実施形態において、１Ｔ８Ｒ  ＳＲＳ伝送に対し、３つ又は４つのＳＲＳリソースセットを配置することができる。本開示の範囲は、この点において制限されない。
【００８１】
図１０は、本開示のいくつかの実施形態による例示的方法１０００のフローチャートを示す。方法１０００は、図１に示すネットワーク機器１１０において実現することができる。理解すべき点として、方法１０００はさらに、図示されていない付加的ブロック、及び／又は図示を省略可能ないくつかのブロックを含むことができ、この点において、本開示の範囲は制限を受けない。議論しやすいように、図１を参照してネットワーク機器１１０の側から方法１０００を説明する。また、理解すべき点として、ネットワーク機器１１０により実行される方法１０００は、図２〜図９に関して上述した端末機器により実行される方法に、対応させることができる。簡略化のため、ここでは、方法１０００に関する詳細は省略する。
【００８２】
ブロック１０１０において、少なくとも１つのサウンディング参照信号（ＳＲＳ）リソースセットが、端末機器１２０からＳＲＳを受信するために配置され、アンテナ切り替えが端末機器１２０に対してイネーブルにされたことに応じて、ネットワーク機器１１０は、ＳＲＳの受信に必要な少なくとも１つの保護時間を確定する。端末機器１２０から行われる上りリンクの受信は、少なくとも１つの保護時間以外にスケジューリングされることが予期できる。
【００８３】
いくつかの実施形態において、ネットワーク機器１１０は、上りリンクチャネルのサブキャリア間隔に基づき、少なくとも１つの保護時間を確定することができる。
【００８４】
いくつかの実施形態において、ネットワーク機器１１０は、少なくとも１つのＳＲＳリソースセットの前の第１保護時間、少なくとも１つのＳＲＳリソースセットの後の第２保護時間、少なくとも１つのＳＲＳリソースセットにおける２つのＳＲＳリソースの間の第３保護時間のうち、少なくとも１つを確定することができる。
【００８５】
いくつかの実施形態において、上りリンク受信、及び少なくとも１つのＳＲＳリソースセットにおける第１ＳＲＳリソースが、端末機器に関する送信アンテナの同一配置と関連することに応じて、ネットワーク機器１１０は、上りリンク受信と、第１ＳＲＳリソースにより行われるＳＲＳ受信との間に、保護時間が必要か否かを確定することができる。
【００８６】
ブロック１０２０において、ネットワーク機器１１０は、少なくとも１つの保護時間に対する要件が満たされているか否かを確定する。要件が満たされている場合、上りリンク受信が、少なくとも１つの保護時間以外にスケジューリングされ、ブロック１０３０において、ネットワーク機器１１０は少なくとも１つのＳＲＳリソースセットにより端末機器１２０からＳＲＳを受信する。
【００８７】
いくつかの実施形態において、ネットワーク機器１１０は、上りリンク受信用の第１サブキャリア間隔を確定することができる。ネットワーク機器１１０は、第１サブキャリア間隔に基づき、ＳＲＳ受信用の第２サブキャリア間隔を確定することができる。第２サブキャリア間隔は、第１サブキャリア間隔の倍数である。ネットワーク機器１１０は第２サブキャリア間隔に基づき、端末機器１２０からＳＲＳを受信することができる。
【００８８】
要件が満たされていない場合、上りリンク受信が少なくとも１つの保護時間内にスケジューリングされ、ブロック１０４０において、ネットワーク機器１１０は、ＳＲＳ受信に用いられる少なくとも１つのＳＲＳリソースセットの少なくとも一部をディセーブルにする。
【００８９】
いくつかの実施形態において、ネットワーク機器１１０は少なくとも１つのＳＲＳリソースセットのうちディセーブルにする１つ又は複数のＳＲＳリソースを確定し、その後、１つ又は複数のＳＲＳリソースをＳＲＳの受信に用いることをディセーブルにする。
【００９０】
いくつかの実施形態において、ネットワーク機器１１０は、ＳＲＳのタイプ、端末機器のアンテナモード、上りリンクチャネルのサブキャリア間隔のうちの少なくとも１つに基づき、ディセーブルにする１つ又は複数のＳＲＳリソースを確定することができる。
【００９１】
いくつかの実施形態において、ＳＲＳのタイプは、該ＳＲＳが周期的、半持続的、または非周期的であるかを指す。
【００９２】
いくつかの実施形態において、上りリンクの受信、及び少なくとも１つのＳＲＳリソースセットにおける第２ＳＲＳリソースが、端末機器に関する送信アンテナの同一配置と関連することに応じて、ネットワーク機器１１０は１つ又は複数のＳＲＳリソースから第２ＳＲＳリソースを排除することができる。
【００９３】
本開示の実施形態は、ＳＲＳ伝送に用いられる解決手段を提供していることが理解できる。該解決手段を用いることで、ＳＲＳリソースの前、後又は間の保護時間をサポートすることができる。ＳＲＳ伝送に必要な保護時間が確保できない場合、１つ又は複数のＳＲＳリソースを廃棄することができる（これは、該１つ又は複数のＳＲＳリソースによりＳＲＳ伝送がスケジューリングされることはないことを表す）。
【００９４】
図１１は、本開示の実施形態を実現するのに適したデバイス１１００の概略ブロック図である。デバイス１１００は、図１に示すネットワーク機器１１０の別の例示の実現であるとみなすことができる。したがって、デバイス１１００は、ネットワーク機器１１０において実現することができ、又はネットワーク機器１１０の少なくとも一部として実現することができる。
【００９５】
図に示すように、デバイス１１００は、プロセッサ１１１０、プロセッサ１１１０に結合されるメモリ１１２０、プロセッサ１１１０に結合される適切な送信機（ＴＸ）及び受信機（ＲＸ）１１４０、並びにＴＸ／ＲＸ１１４０に結合される通信インタフェースを含む。メモリ１１２０は、プログラム１１３０の少なくとも一部を記憶する。ＴＸ／ＲＸ  １１４０は双方向通信に用いられる。ＴＸ／ＲＸ  １１４０は、通信を促進する少なくとも１つのアンテナを有し、実際には、本願で述べたアクセスノードは、複数のアンテナを有することができる。通信インタフェースは、他のネットワーク部材と通信を行う際に必要な任意のインタフェース、例えば、ｅＮＢ間の双方向通信用のＸ２インタフェース、Ｍｏｂｉｌｉｔｙ  Ｍａｎａｇｅｍｅｎｔ  Ｅｎｔｉｔｙ（ＭＭＥ）／サービングゲートウェイ（Ｓ−ＧＷ）とｅＮＢとの間の通信用のＳ１インタフェース、ｅＮＢと中継ノード（ＲＮ）との間の通信用のＵｎインタフェース、又はｅＮＢと端末機器との間の通信用のＵｕインタフェースを表すことができる。
【００９６】
プログラム１１３０がプログラム指令を含むと仮定すると、本明細書で図１〜図１０を参照して説明したように、これらのプログラム指令は、関連するプロセッサ１１１０により実行され、これにより、デバイス１１００は、本開示の実施形態に基づき操作を行うことができるようになる。本明細書の実施形態は、デバイス１１００のプロセッサ１１１０が実行可能なコンピュータソフトウェア、ハードウェア、又はソフトウェア及びハードウェアの組合せにより実現することができる。プロセッサ１１１０は、本開示の各実施形態を実現するように配置することができる。また、プロセッサ１１１０及びメモリ１１２０の組合せは、本開示の各実施形態を実現するのに適した処理装置１１５０を構成することができる。
【００９７】
メモリ１１２０は、ローカルの技術ネットワークに適した任意のタイプであってよく、任意の適切なデータ記憶技術により実現することができる。例として、コンピュータが読み取り可能な非一時的記憶媒体、半導体による記憶デバイス、磁気記憶デバイス及びシステム、光学記憶デバイス及びシステム、固定メモリ及び移動可能メモリ等が挙げられるが、これらに限定されない。デバイス１１００には１つのメモリ１１２０しか示されていないが、デバイス１１００には複数の物理上異なるメモリモジュールを設置することができる。プロセッサ１１１０は、ローカルの技術ネットワークに適した任意のタイプであってよく、例として、汎用コンピュータ、専用コンピュータ、マイクロプロセッサ、デジタル信号処理器（ＤＳＰ）、及びマルチコアプロセッサ構成に基づくプロセッサのうち、一つ又は複数を含むことができるが、これらに限定されない。デバイス１１００は複数のプロセッサ、例えば、マスタープロセッサと同期するクロックに時間的に従属する特定用途向け集積回路チップを有することができる。
【００９８】
通常、本開示の各実施形態は、ハードウェア若しくは専用回路、ソフトウェア、論理又はそれらの任意の組合せにより実現することができる。いくつかの態様はハードウェアによって実現し、他の態様はコントローラ、マイクロプロセッサ又は他のコンピュータデバイスが実行するファームウェア又はソフトウェアによって実現することができる。本開示の実施形態の各態様はブロック図、フローチャートとして図示し説明し、又は他の図形によって図示し説明したが、理解すべき点として、本明細書に記載のブロック、装置、システム、技術又は方法は、例えば、ハードウェア、ソフトウェア、ファームウェア、専用回路若しくは論理、汎用ハードウェア若しくはコントローラ若しくは他のコンピュータデバイス、又はそれらの組合せによって実現することができる。
【００９９】
本開示はさらに、コンピュータが読み取り可能な非一時的記憶媒体に、有形に記憶される少なくとも１つのコンピュータプログラム製品を提供する。該コンピュータプログラム製品は、コンピュータが実行可能な指令、例えば、プログラムモジュールに含まれるコンピュータが実行可能な指令を含む。該コンピュータが実行可能な指令は、対象の物理プロセッサ又は仮想プロセッサ上のデバイスにおいて実行されて、図２及び図１０のいずれかを参考に上記で説明したプロセス又は方法を実行することができる。通常、プログラムモジュールは、特定のジョブを実現するか、又は特定の抽象データ構造を実現するルーチン、プログラム、ライブラリ、オブジェクト、クラス、コンポーネント、データ構造等を含む。プログラムモジュールの機能は、各実施形態での必要に応じて、プログラムモジュール間で組み合わせるか、又は分割することができる。プログラムモジュールに用いられるデバイスが実行可能な指令は、ローカル又は分散型デバイスにおいて実行することができる。分散型デバイスにおいて、プログラムモジュールはローカル及びリモートの記憶媒体に置くことができる。
【０１００】
本開示の方法を実行するためのプログラムコードは、一種類又は複数種類のプログラミング言語の任意の組み合せにより記述することができる。これらのプログラムコードは、汎用コンピュータ、専用コンピュータ又はその他のプログラム可能なデータ処理装置のプロセッサ又はコントローラに提供可能であり、これらプログラムコードがプロセッサ又はコントローラによって実行されると、フローチャート及び／又はブロック図に指定された機能／操作が実現される。プログラムコードは全てデバイス上で実行することができ、部分的にデバイス上で実行することもできる。独立したソフトウェアパッケージとしてデバイス上で部分的に実行するとともに、リモートのデバイス上で部分的に実行するか、又は全てリモートのデバイス若しくはサーバ上で実行することができる。
【０１０１】
以上のプログラムコードは、デバイスが読み取り可能な媒体上に体現され、該デバイスで読み取り可能な媒体は、指令実行システム、装置若しくはデバイスに使用のために供されるプログラム、又は、それらと結合して使用されるプログラムを含むか又は記憶することができる任意の有形媒体であり得る。デバイスで読み取り可能な媒体は、デバイスで読み取り可能な信号媒体又はデバイスで読み取り可能な記憶媒体であり得る。デバイスで読み取り可能な媒体は、電子、磁気、光学、電磁気、赤外線若しくは半導体のシステム、装置又はデバイス、又は前述の各項目の任意の適切な組み合せを含むことができるが、これらに限定されない。デバイスで読み取り可能な記憶媒体のさらに具体的な例には、一つ若しくは複数のケーブルの電気的接続、ポータブル・コンピュータ・ディスケット、ハードディスク、ランダムアクセスメモリ（ＲＡＭ）、リードオンリーメモリ（ＲＯＭ）、消去・書き込み可能なリードオンリーメモリ（ＥＰＲＯＭ又はフラッシュメモリ）、光ファイバ、携帯型光ディスクリードオンリーメモリ（ＣＤ−ＲＯＭ）、光学的記憶装置、磁気記憶装置、又は上述の各項目の任意の適切な組み合せが含まれる。
【０１０２】
なお、操作について、特定の順序で説明を行ったが、所望の結果を得るために、こうした操作は、示された特定の順序で実行するか若しくは連続した順序で実行し、又は、示された全ての操作を実行することが求められる、と理解されるべきではない。いくつかの状況では、複数のジョブ及び並行処理が有利である可能性がある。同様に、上述の議論では、いくつかの特定の実現の詳細が含まれるが、これらは本開示の範囲に対する制限であると解釈されるべきではなく、具体的な実施形態に特定される特徴についての説明であると解釈されるべきである。個々の実施形態の内容において説明したいくつかの特徴は、ある一つの実現形態において組み合わせて実現されてもよい。逆に、一つの実現形態の内容において説明された各種特徴は、複数の実現形態において単独で、又は任意の適切な組み合せにより、実現されてもよい。
【０１０３】
本開示について、構造的特徴及び／又は方法・動作に特定される言葉で説明したが、添付の特許請求の範囲によって限定される本開示は、必ずしも上述の特定の特徴又は動作に限定されないと理解されるべきである。上述した特定の特徴や動作はむしろ、請求項を実現する例示的形態として開示されている。
【図１】
2021531670.tif 000004
【図２】
2021531670.tif 000005
【図３Ａ】
2021531670.tif 000006
【図３Ｂ】
2021531670.tif 000007
【図４】
2021531670.tif 000008
【図５】
2021531670.tif 000009
【図６Ａ】
2021531670.tif 000010
【図６Ｂ】
2021531670.tif 000011
【図７Ａ】
2021531670.tif 000012
【図７Ｂ】
2021531670.tif 000013
【図８Ａ】
2021531670.tif 000014
【図８Ｂ】
2021531670.tif 000015
【図８Ｃ】
2021531670.tif 000016
【図９Ａ】
2021531670.tif 000017
【図９Ｂ】
2021531670.tif 000018
【図９Ｃ】
2021531670.tif 000019
【図１０】
2021531670.tif 000020
【図１１】
2021531670.tif 000021
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
少なくとも１つのサウンディング参照信号（ＳＲＳ）リソースセットが、ネットワーク機器にＳＲＳを伝送するために配置され、且つ端末機器に対してアンテナ切り替えがイネーブルにされたことに応じて、前記ＳＲＳの伝送に必要な少なくとも１つの保護時間を確定し、前記ネットワーク機器に対して行われる上りリンク伝送は、前記少なくとも１つの保護時間以外にスケジューリングされると予期されることと、
前記上りリンク伝送が前記少なくとも１つの保護時間以外にスケジューリングされたことに応じて、前記少なくとも１つのＳＲＳリソースセットによって、前記ネットワーク機器に前記ＳＲＳを伝送することと、
前記上りリンク伝送が前記少なくとも１つの保護時間内にスケジューリングされたことに応じて、前記ＳＲＳの伝送に用いられる前記少なくとも１つのＳＲＳリソースセットの少なくとも一部をディセーブルにすることと
を含む、端末機器で実現される方法。
【請求項２】
前記少なくとも１つの保護時間を確定することは、
上りリンクチャネルのサブキャリア間隔に基づき、前記少なくとも１つの保護時間を確定することを含む、請求項１に記載の方法。
【請求項３】
前記少なくとも１つの保護時間を確定することは、
前記少なくとも１つのＳＲＳリソースセットの前の第１保護時間、前記少なくとも１つのＳＲＳリソースセットの後の第２保護時間、及び、前記少なくとも１つのＳＲＳリソースセットにおける２つのＳＲＳリソースの間の第３保護時間のうち、少なくとも１つを確定することを含む、請求項１に記載の方法。
【請求項４】
前記少なくとも１つの保護時間を確定することは、
前記上りリンク伝送、及び前記少なくとも１つのＳＲＳリソースセットにおける第１ＳＲＳリソースが、前記端末機器に関する送信アンテナの同一配置と関連することに応じて、前記上りリンク伝送と、前記第１ＳＲＳリソースにより行われるＳＲＳ伝送との間に、保護時間が不要であると確定することを含む、請求項１に記載の方法。
【請求項５】
前記ＳＲＳの伝送に用いられる前記少なくとも１つのＳＲＳリソースセットの少なくとも一部をディセーブルにすることは、
前記少なくとも１つのＳＲＳリソースセットのうちディセーブルにする１つ又は複数のＳＲＳリソースを確定することと、
前記１つ又は複数のＳＲＳリソースを前記ＳＲＳの伝送に用いることをディセーブルにすることと
を含む、請求項１に記載の方法。
【請求項６】
前記１つ又は複数のＳＲＳリソースを確定することは、
前記ＳＲＳのタイプ、前記端末機器のアンテナモード、及び、上りリンクチャネルのサブキャリア間隔のうちの少なくとも１つに基づき、ディセーブルにする前記１つ又は複数のＳＲＳリソースを確定することを含む、請求項５に記載の方法。
【請求項７】
前記ＳＲＳの前記タイプは、前記ＳＲＳが周期的、半持続的、または非周期的であるかを指す、請求項６に記載の方法。
【請求項８】
前記１つ又は複数のＳＲＳリソースを確定することは、
前記上りリンク伝送、及び前記少なくとも１つのＳＲＳリソースセットにおける第２ＳＲＳリソースが、前記端末機器に関する送信アンテナの同一配置と関連することに応じて、前記１つ又は複数のＳＲＳリソースから前記第２ＳＲＳリソースを排除することを含む、請求項５に記載の方法。
【請求項９】
前記ＳＲＳを前記伝送することは、
前記上りリンク伝送のための第１サブキャリア間隔を確定することと、
前記第１サブキャリア間隔に基づき、前記第１サブキャリア間隔の倍数である、前記ＳＲＳを伝送するための第２サブキャリア間隔を確定することと、
前記第２サブキャリア間隔に基づき、前記ネットワーク機器に前記ＳＲＳを伝送することと
を含む、請求項１に記載の方法。
【請求項１０】
前記少なくとも１つのＳＲＳリソースセットは、少なくとも、第１ＳＲＳリソースセットと第２ＳＲＳリソースセットとを含み、
前記ネットワーク機器から前記端末機器に伝送される第１下りリンク制御情報（ＤＣＩ）にトリガされる、前記第１ＳＲＳリソースセットにより行われる第１ＳＲＳ伝送が、前記ネットワーク機器から前記端末機器に伝送される第２ＤＣＩによりトリガされる、前記第２ＳＲＳリソースセットにより行われる第２ＳＲＳ伝送の前であり、
前記ＳＲＳの伝送に用いられる前記少なくとも１つのＳＲＳリソースセットの少なくとも一部をディセーブルにすることは、
前記第１ＳＲＳ伝送の前に前記ネットワーク機器から前記第２ＤＣＩを受信できないことに応じて、前記少なくとも１つのＳＲＳリソースセットを前記ＳＲＳの伝送に用いることをディセーブルにすること、又は
前記第１ＤＣＩが受信されてから所定時間内に前記ネットワーク機器から前記第２ＤＣＩを受信できないことに応じて、前記少なくとも１つのＳＲＳリソースセットを前記ＳＲＳの伝送に用いることをディセーブルにすること
を含む、請求項１に記載の方法。
【請求項１１】
少なくとも１つのサウンディング参照信号（ＳＲＳ）リソースセットが、端末機器からＳＲＳを受信するために配置され、且つ前記端末機器に対してアンテナ切り替えがイネーブルにされたことに応じて、前記ＳＲＳの受信に必要な少なくとも１つの保護時間を確定し、前記端末機器からの上りリンク受信は、前記少なくとも１つの保護時間以外にスケジューリングされると予期されることと、
前記上りリンク受信が前記少なくとも１つの保護時間以外にスケジューリングされたことに応じて、前記少なくとも１つのＳＲＳリソースセットによって、前記端末機器から前記ＳＲＳを受信することと、
前記上りリンク受信が前記少なくとも１つの保護時間内にスケジューリングされたことに応じて、前記ＳＲＳの受信に用いられる前記少なくとも１つのＳＲＳリソースセットの少なくとも一部をディセーブルにすることと
を含む、ネットワーク機器で実現される方法。
【請求項１２】
前記少なくとも１つの保護時間を確定することは、
上りリンクチャネルのサブキャリア間隔に基づき、前記少なくとも１つの保護時間を確定することを含む、請求項１１に記載の方法。
【請求項１３】
前記少なくとも１つの保護時間を確定することは、
前記少なくとも１つのＳＲＳリソースセットの前の第１保護時間、前記少なくとも１つのＳＲＳリソースセットの後の第２保護時間、及び、前記少なくとも１つのＳＲＳリソースセットにおける２つのＳＲＳリソースの間の第３保護時間のうち、少なくとも１つを確定することを含む請求項１１に記載の方法。
【請求項１４】
前記少なくとも１つの保護時間を確定することは、
前記上りリンク受信、及び前記少なくとも１つのＳＲＳリソースセットにおける第１ＳＲＳリソースが、前記端末機器に関する送信アンテナの同一配置と関連することに応じて、前記上りリンク受信と、前記第１ＳＲＳリソースにより行われるＳＲＳ受信との間に、保護時間が不要であると確定することを含む、請求項１に記載の方法。
【請求項１５】
前記ＳＲＳの受信に用いられる前記少なくとも１つのＳＲＳリソースセットの少なくとも一部をディセーブルにすることは、
前記少なくとも１つのＳＲＳリソースセットのうちディセーブルにする１つ又は複数のＳＲＳリソースを確定することと、
前記１つ又は複数のＳＲＳリソースを前記ＳＲＳの受信に用いることをディセーブルにすることと
を含む、請求項１１に記載の方法。
【請求項１６】
前記１つ又は複数のＳＲＳリソースを確定することは、
前記ＳＲＳのタイプ、前記端末機器のアンテナモード、及び、上りリンクチャネルのサブキャリア間隔のうちの少なくとも１つに基づき、ディセーブルにする前記１つ又は複数のＳＲＳリソースを確定することを含む、請求項１５に記載の方法。
【請求項１７】
前記ＳＲＳの前記タイプは、前記ＳＲＳが周期的、半持続的、または非周期的であるかを指す、請求項１６に記載の方法。
【請求項１８】
前記１つ又は複数のＳＲＳリソースを確定することは、
前記上りリンク受信、及び前記少なくとも１つのＳＲＳリソースセットにおける第２ＳＲＳリソースが、前記端末機器に関する送信アンテナの同一配置と関連することに応じて、前記１つ又は複数のＳＲＳリソースから前記第２ＳＲＳリソースを排除することを含む、請求項１５に記載の方法。
【請求項１９】
前記ＳＲＳを前記受信することは、
前記上りリンク受信のための第１サブキャリア間隔を確定することと、
前記第１サブキャリア間隔に基づき、前記第１サブキャリア間隔の倍数である、前記ＳＲＳを受信するための第２サブキャリア間隔を確定することと、
前記第２サブキャリア間隔に基づき、前記端末機器から前記ＳＲＳを受信することと
を含む、請求項１１に記載の方法。
【請求項２０】
プロセッサと、
前記プロセッサに結合され指令が記憶されたメモリと
を含み、
前記指令が前記プロセッサにより実行される場合に、前記指令により、
少なくとも１つのサウンディング参照信号（ＳＲＳ）リソースセットが、ネットワーク機器にＳＲＳを伝送するために配置され、且つ端末機器に対してアンテナ切り替えがイネーブルにされたことに応じて、前記ＳＲＳの伝送に必要な少なくとも１つの保護時間を確定し、前記ネットワーク機器に対して行われる上りリンク伝送は、前記少なくとも１つの保護時間以外にスケジューリングされると予期されることと、
前記上りリンク伝送が前記少なくとも１つの保護時間以外にスケジューリングされたことに応じて、前記少なくとも１つのＳＲＳリソースセットによって、前記ネットワーク機器に前記ＳＲＳを伝送することと、
前記上りリンク伝送が前記少なくとも１つの保護時間内にスケジューリングされたことに応じて、前記ＳＲＳの伝送に用いられる前記少なくとも１つのＳＲＳリソースセットの少なくとも一部をディセーブルにすることと、を実行する、デバイス。
【国際調査報告】
2021531670.tif 000022
2021531670.tif 000023
2021531670.tif 000024